(57)【要約】【課題】正面からの観察状態では視認できない文字や図柄などのパターンを所定の角度から観察することによって複数種類視認できる印刷物を提供する。【解決手段】前記課題の目的を達成するために、同一印刷面に、有色のインキで印刷された万線状の第１のパターンと、前記第１のパターンの少なくとも１部を共有するように万線状の凹凸を有する画素で構成された第２のパターンと、所定の反射角度でのみ視認されるインキで印刷された第３のパターンが形成され、前記第１のパターンの万線に直交する方向から前記印刷面を傾けて観察した時に印刷面とのなす角度が小さい順に第２のパターンによる潜像、第３のパターン、第１のパターンが視認される潜像パターンを有する印刷物を提供する。【選択図】　図１
2004106312.tif 000002
【特許請求の範囲】
【請求項１】
同一印刷面に、有色のインキで印刷された万線状の第１のパターンと、前記第１のパターンの少なくとも１部を共有するように万線状の凹凸を有する画素で構成された第２のパターンと、所定の反射角度でのみ視認されるインキで印刷された第３のパターンが形成され、
前記第１のパターンの万線に直交する方向から前記印刷面を傾けて観察した時に印刷面とのなす観察角度が小さい順に第２のパターンによる潜像、第３のパターン、第１のパターンが視認されることを特徴とする潜像パターンを有する印刷物。
【請求項２】
前記潜像は、第１のパターン上に形成された第２のパターンにより生成されることを特徴とする請求項１に記載の潜像パターンを有する印刷物。
【請求項３】
前記第３のパターンはパールインキにより形成されたパターンであることを特徴とする請求項１に記載の潜像パターンを有する印刷物。
【発明の詳細な説明】
【０００１】
【発明の属する技術分野】
本発明は、正面からの観察状態では視認できない文字や図柄などのパターンを所定の角度から観察することによって複数種類視認できる印刷物に関する。
【０００２】
【従来の技術】
通常の状態では視認できないパターンを、特定の条件を指定することによって視認可能とする技術に関して各種開示されている。
上記開示技術は、生成されるパターンを潜像パターンと称し、偽造防止手段として提供している（例えば特許文献１参照）。
前記特許文献１に記載の手法によれば、万線状のパターンを凹版印刷方式で印刷し、その上に若干位置をずらして凹版インキと非親和性のオフセットインキによって重ね刷りする方法によって、印刷されたものを傾けるとオフセット印刷方式で印刷した部分が凹版印刷方式で印刷した部分の影になって視認できなくなり、前述の通常の状態では視認できないパターンを、特定の条件を指定することによって視認可能とする技術として開示している。
前記技術は、凹版印刷技術を使用するために特殊な紙質を必要とし、また、転移された厚いインキの乾燥のために印刷スピードが遅い、凹版印刷インキが高価であるなどの欠点が有った。
【０００３】
【特許文献１】
特開平２−１２７０７８号公報
【０００４】
【発明が解決しようとする課題】
本発明は、正面からの観察状態では視認できない文字や図柄などのパターンを所定の角度から観察することによって複数種類視認できる印刷物を提供するものである。
【０００５】
【課題を解決するための手段】
前記課題の目的を達成するために、本発明の潜像パターンを有する印刷物の請求項１に記載の発明は、同一印刷面に、有色のインキで印刷された万線状の第１のパターンと、前記第１のパターンの少なくとも１部を共有するように万線状の凹凸を有する画素で構成された第２のパターンと、所定の反射角度でのみ視認されるインキで印刷された第３のパターンが形成され、前記第１のパターンの万線に直交する方向から前記印刷面を傾けて観察した時に印刷面とのなす角度が小さい順に第２のパターンによる潜像、第３のパターン、第１のパターンが視認されることを特徴とするものである。
【０００６】
また、請求項２に記載の発明は、請求項１に記載の発明において、潜像は、第１のパターン上に形成された第２のパターンにより生成されることを特徴とするものである。
【０００７】
また、請求項３に記載の発明は、請求項１に記載の発明において、第３のパターンはパールインキにより形成されたパターンであることを特徴とするものである。
【０００８】
【発明の実施の形態】
以下、図面を参照して本発明の潜像パターンを有する印刷物について説明する。
図１は、本発明の潜像パターンを有する印刷物の第１の実施形態について説明するための図、図２は、本発明の潜像パターンを有する印刷物の第２の実施形態について説明するための図、図３は、潜像の視認方法について説明するための概念図、図４は、図１のｂ図の一部拡大斜視図、図５は、図２のｅ図の一部拡大斜視図、図６は、図４の斜視図、図７は、本発明の潜像パターンを有する印刷物の製造手順の一実施形態についての説明図である。
【０００９】
図１を参照して、本発明の潜像パターンを有する印刷物の、第１のパターンの万線のピッチと、第２のパターンのピッチが異なっている場合の第１の実施形態について説明する。
本発明で“万線”とは、“ある幅を持たせた直線をその幅の２〜３倍のピッチで複数本並べた平行線の集まり”という意味である。
図１に示すａ図、ｂ図の第２のパターン“ＸＹＺ”は、説明し易いように着色しているが実際は、無色の万線状凹凸の集合で、第１のパターンである印刷万線パターン２ａの真上から見た場合、印刷万線パターン２ａだけが見える状態になっている。
図１で示す凹凸状のパターン（以下第２のパターンという。）“ＸＹＺ”３ａは、万線状の画素で構成されており、そのピッチ３０ａは、印刷万線パターン（以下第１のパターンという。）２ａのピッチの１．５倍になっている。
第２のパターン３ａは、有色インキで印刷されている第１のパターン２ａに重ねて形成される。
【００１０】
ｂ図は、第２のパターンと、第１のパターンとが交差する角度が０度、即ち平行状態となっている状態を示している。
第１のパターンと、第２のパターンの万線のピッチは半ピッチ異なっているために、図示しないが、第２のパターンを構成する最初の山と、４つ目の山に対して、第１のパターンの印刷された万線の最初の線と６番目の線が重なる。
【００１１】
ｃ図は、第３のパターンである。
第３のパターンは特殊な角度に対して反射する無色透明なインキ、淡色なインキ等、第１のパターンを形成するインキを隠蔽しないインキで印刷される。
ｃ図において、第３のパターンは、長方形の塗りつぶしパターンの中に“ＡＢＣ”の文字が白抜きの状態に嵌め込まれているが、逆に“ＡＢＣ”の文字パターンであっても良い。
【００１２】
図２を参照して、第１のパターンの万線の各線のピッチと、第２のパターンの凹凸の山と山（または谷と谷）のピッチが同一の場合の１実施形態について説明する。
図２に示すｄ図、ｅ図の第２のパターンは、説明し易いように着色しているが実際は無色の集合で、第１のパターンである印刷万線パターン２ｄの真上から見た場合、印刷万線パターン２ｄだけが見える状態になっている。
図２において、ｄ図に示す第２のパターン３ｄは、万線状の画素で構成されており、そのピッチ３０ｄは、第１のパターン２ｄのピッチと同一ピッチになっている。第２のパターン３ｄは、有色インキで印刷されている第１のパターン２ｄに重ねて形成される。
【００１３】
ｅ図は、第２のパターンを構成している万線状パターンと、第１のパターンとが交差する角度が０度、即ち平行状態となっている状態を示している。
第１のパターンと、第２のパターンの万線のピッチは同一ピッチとなっているために、図示しないが第２のパターンを構成する最初の山の部分と、２つ目の山の部分に対して、第１のパターンの印刷された万線の線、または、スペース部分が重なる。ｅ図では、“ＸＹＺ”の山の部分が第１のパターンのスペース部分に重なっている場合である。
ｅ図の状態から第２のパターンが半ピッチずれると、“ＸＹＺ”の山の部分が第１のパターンの印刷された線部に重なって、第２のパターンが有色で表示されている図面上では“ＸＹＺ”の文字が見えなくなる。
【００１４】
前述、図１、図２の説明で明らかなように、第２のパターンの形成位置が好ましくない方向にずれて形成されて場合、即ち第２のパターンの凸（山）部が第１のパターンのスペース部（非印刷部）に形成された場合は、第２のパターンが印刷基体の色の潜像として生成する（図５、図６において詳細に説明する。）。そのために第１のパターンの印刷色によって第２のパターンによる潜像を認識させるためには、第１のパターンと第２のパターンとピッチを変えたり、図示しないが、第１のパターンと第２のパターンのピッチが同一の場合は、第１のパターンと第２のパターンを角度を設けて交差させることによって潜像を前記の第１のパターを形成する印刷色に認識させることができる。
【００１５】
図３を参照して潜像パターンを有する印刷物の潜像パターンを視認する方法について説明する。
図３は、潜像パターンを有する印刷物１が水平な位置に置かれた状態で、観察者が塗りつぶした矢印６（６−１，２，３）の方角から潜像パターン表示エリア５を観察した場合にどのように視認されるかを図示している。
【００１６】
潜像パターンを有する印刷物１の正面（真上）方向６−１から、潜像パターン表示エリア５を観察すると、第１のパターン２のみが鮮明に観察される。第２のパターンは、凹凸で形成されているために真上方向からは視認することができない。
また、第３のパターンは、無色透明、または、淡色なインキで印刷されているために視認することはできない。
次に潜像パターン表示エリア５を斜め方向６−２から観察した場合は、第３のパターン４が鮮明に視認され、第１のパターン、および、第２のパターンによる潜像は微かに視認される状態である。
印刷物１に更に近づいた斜め方向６−３から潜像パターン表示エリア５を観察した場合は、第３のパターン４、第１のパターン２、は視認されず第２のパターン３による潜像だけが明瞭に視認される。
【００１７】
図４を参照して、図１のｂ図の一部を拡大した状態について説明する。
図１に示すｂ図の一部を切り取って拡大すると、図４に示すように印刷による有色の第１のパターンと、潜像を生成する第２のパターンが重なって形成されている。
第２のパターンは凹凸状になっている。１点鎖線で示す部分が山（凸）部３２ｂで、実線で示す部分が谷（凹）部３１ｂである。図１の場合は、第１のパターンの万線のピッチと、第２のパターンの凸部（凹部）のピッチ比が１対１．５になっているために、第１のパターンの１本目の線と、第２のパターンの最初の山が一致した後は、第１のパターンの６本目の線と、第２のパターンの４本目の山部で一致する。
このような状態を矢印６で示す方向から潜像生成エリア５ｂを観察すると、図に示すように第１のパターンの万線のうち、３本の万線が視認される。
【００１８】
図５を参照して、図２のｅ図の一部を拡大した状態について説明する。
印刷により有色のインキで印刷された第１のパターンと、潜像を生成する第２のパターンが重なり合って形成されていて、図２に示すｅ図の一部を切り取って拡大すると図５に示す状態になっている。
第２のパターンは１点鎖線で示す凸（山）部３２ｅと、実線で示す凹（谷）部３１ｅが複数本平行に形成されている。
図２で示す第１のパターンと、第２のパターンは、万線のピッチと凹凸の凹部（または、凸部）のピッチが同一であるために、第１のパターンの１本目の線と、第２のパターンの最初の凹部が一致する場合は、第１のパターンのその他の線と、第２のパターンのその他の凹部は全てで一致する。
このような状態を矢印６で示す方向から観察した場合、第１のパターンの万線２０が第２のパターンの凸部に隠されて潜像生成エリア５ｅには１本も視認されない。
【００１９】
図６は、図４を印刷物に近い位置（図３の観察方向６−３参照）から斜めに観察した図であるが、第２のパターンの凸部の手前（観察側）に在って、その手前の凸部に遮られない第１のパターン２のみが観察される。
【００２０】
図７を参照して本発明の潜像パターンを有する印刷物の製造手順の一実施形態について説明する。
まず、第３のパターンを作製する。
例えば、ロゴマークのようなパターンをデザインし、版下から製版用原版を作成する（ステップ８１）。ステップ（以下Ｓという。）８１で作製した製版用原版によって印刷紙の大きさに応じて多面露光を行い、印刷用の版である刷版を作製（Ｓ８２）し保管する。
【００２１】
次に、第１のパターンを作製するために、万線スクリーンと未露光の製版用フィルムを密着させて実線幅とスペースの幅が１対２となるように万線スクリーン側から露光し、万線パターン原版を作製する。
得られた万線パターン原版を製版カメラで第２のパターンとの関連で所定の大きさに拡大撮影する（Ｓ８３）。
また、同一面に印刷する絵柄のうち、第１のパターンである万線を印刷する色と同一の色の版を作製する（Ｓ８４）。
Ｓ８３で作製した万線パターンと、Ｓ８４で作製した分色版を１つの版にするために合成し、合成原版を作製する（Ｓ８５）。
合成原版を印刷紙の大きさに応じて多面露光を行い、印刷用の版である刷版を作製する（Ｓ８６）。
前記セキュリティ以外の図柄や文字情報を印刷（Ｓ８７）し、保管する。
前記図柄や文字情報を先に印刷し、万線によるセキュリティ表示部を後工程で印刷することもできる。
【００２２】
Ｓ８２で作製され保管されている第３のパターンの印刷用の版（刷版）によって、第３のパターンを印刷する（Ｓ８８）。
第３のパターンの印刷には、印刷物を所定の角度にすると印刷面が光を反射する無色透明のインキを使用される。前述したように、無色透明のインキの他に、第１のパターンとコントラストの強いインクで第１のパターンの下に印刷しても良い。この場合は、第１のパターンと第２のパターンによって生成される潜像が２つの色で視認されることになる。
ここで、無色透明なインキの１例としてパールインキについて説明する。
パールインキは、印刷後のインキの表面が真珠のような光沢を有するためにパールインキと呼ばれる。
パールインキは、淡水魚の鱗の表面から採取されたグアニンの微結晶や、炭酸塩・ヒ酸塩系の材料を顔料として作られる。前記顔料は、何れも薄片状の結晶で、この結晶面に光が当ると規則的に多重反射されるために、真珠の表面のような光沢を呈する。印刷インキとして使用された場合、乾燥したインキの表面は透明性を有し、上記のような反射特性を有する。
【００２３】
次に、第２のパターン作製工程について説明する。
第２のパターンは、潜像生成パターンで、文字パターンの場合や、絵柄パターンの場合がある。
前述の第１のパターンとの関連でピッチを決める。通常、第２のパターンのピッチを第１のパターンのピッチよりも広くする。
印刷物を部分的に加圧して第２のパターンである凹凸を形成するために、凹版を作製する。そこで、凹版作製のためのフィルム原版を作製する（Ｓ８９）。
凹版作製手段として薬品によってエッチングし凹部を作製する方法と、機械的に溝を形成して作製する方法があるが、いずれかの方法によって第２のパターン形成手段（押し型）を作製する（Ｓ９０）。
【００２４】
エンボスマシンに前記押し型を取り付け、Ｓ８５で作製保管していた印刷物に第２のパターンを形成する（Ｓ９１）。
印刷物に上記エンボス特性を付与させるために、印刷紙として長繊維で比較的粗な特性を有する紙を使用する。
紙質を選択できない場合は、エンボス部に湿りを与え、エンボス面を軟らかくしてからエンボス加工を行う。
多面付け状態の印刷物を所定の大きさに裁断し、潜像パターンを有する１枚の印刷物に仕上げる（Ｓ９２）。
多面の状態から１枚の印刷物に仕上げた後でエンボス加工を行っても良い。
【００２５】
【発明の効果】
（１）請求項１に記載のように、同一印刷面に、有色のインキで印刷された万線状の第１のパターンと、前記第１のパターンの少なくとも１部を共有するように万線状の凹凸を有する画素で構成された第２のパターンと、所定の反射角度でのみ視認されるインキで印刷された第３のパターンが形成され、前記第１のパターンの万線に直交する方向から前記印刷面を傾けて観察した時に印刷面とのなす角度が小さい順に第２のパターンによる潜像、第３のパターン、第１のパターンが視認されることにより安価で、コピーで複製できないセキュリティ性の高い潜像パターンを有する印刷物を得ることができる。
（２）請求項２に記載のように、請求項１に記載の潜像は、印刷面に凸状に形成された第２のパターンと第１のパターンにより生成されることによってセキュリティ性の高い潜像パターンを有する印刷物を得ることができる。
（３）請求項４に記載のように、請求項１に記載の潜像パターンを有する印刷物の第３のパターンはパールインキにより印刷されたパターンであることによって有効な潜像パターンを生成することができる。
【図面の簡単な説明】
【図１】本発明の潜像パターンを有する印刷物の第１の実施形態について説明するための図
【図２】本発明の潜像パターンを有する印刷物の第２の実施形態について説明するための図
【図３】潜像の視認方法について説明するための概念図
【図４】図１のｂ図の一部拡大斜視図
【図５】図２のｅ図の一部拡大斜視図
【図６】図４の斜視図
【図７】本発明の潜像パターンを有する印刷物の製造手順の一実施形態についての説明図
【符号の説明】
１，１０　潜像パターンを有する印刷物（印刷基体）
２，２０　第１のパターン（印刷による万線パターン）
３　　　第２のパターン（潜像パターン）
４　　　特殊インキによる潜像パターン（第３のパターン）
５，５ｂ，５ｅ　潜像パターン表示エリア
６，６−１，６−２，６−３　潜像パターンの観察方向
３０ａ，３０ｂ　第２のパターンのエンボスピッチ
３１ｂ，３１ｅ　凹凸の谷部
３２ｂ，３２ｅ　凹凸の山部
４１　　非反射部（非印刷部）
４２　　反射部（印刷部）
【図１】
2004106312.tif 000003
【図２】
2004106312.tif 000004
【図３】
2004106312.tif 000005
【図４】
2004106312.tif 000006
【図５】
2004106312.tif 000007
【図６】
2004106312.tif 000008
【図７】
2004106312.tif 000009